(57)【特許請求の範囲】
【請求項１】
第１の吸気口を有した本体ケースと、
前記本体ケース内に設けたファンと、
前記ファンの吹き出し空気を加熱するヒータ部と、
前記ヒータ部によって加熱された空気を吹出す吹出口と、を備え、
前記第１の吸気口と前記吹出口とを前記本体ケースにおける同一面に設け、
前記本体ケースには、前記第１の吸気口と前記吹出口とを前記本体ケースにおける一方側側面に設け、
前記本体ケースにおける他方側側面には、第２の吸気口を備え、
前記第１の吸気口は、前記第２の吸気口よりも開口面積が大きく、
前記ファンは、前記本体ケース内部で、前記本体ケースの一方側側面寄りに配置され、
前記第１の吸気口と前記ファンの吸込口との距離は、前記第２の吸気口と前記ファンの前記吸込口との距離より短くなることを特徴とするふとん乾燥機。
【請求項２】
前記本体ケースは、前後方向に比べ左右方向が大きい箱形状で、前記第１の吸気口と前記第２の吸気口と前記吹出口が、前記本体ケースにおける左右の側面に配置されたことを特徴とする請求項１に記載のふとん乾燥機。
【発明の詳細な説明】
【技術分野】
【０００１】
本発明は、ふとんやベットの乾燥や暖めに使用されるふとん乾燥機に関するものである。
【背景技術】
【０００２】
従来、この種のふとん乾燥機は、ホースが水平または垂直上向きに構成されたものが知られている。
【０００３】
以下、そのふとん乾燥機について図４を参照しながら説明する。
【０００４】
図４に示すように、本体１０１内にファン１０２とファン出口にヒータ１０３とヒータ１０３とホース１０４を繋ぐガイド１０５が配置され、ホース１０４は本体１０１に水平に取り付けられ、ホース１０４は伸縮可能で、ホース１０４を伸ばしふとん乾燥用のマットに装着することで周知のふとん乾燥ができる。また、ホース１０４を縮ませ、本体に収めた状態では吹出口１０６から横向きに温風を出し、局所暖房機として使用することもできる。このような構成で出来るスペース１０７は電源コードやふとん乾燥マットなどの収納スペースとなる。
【先行技術文献】
【特許文献】
【０００５】
【特許文献１】特開２０１４−０８７４４７号公報
【発明の概要】
【発明が解決しようとする課題】
【０００６】
このような従来のふとん乾燥機においては、ホースを収納して使用する場合、構造的に吸気口を吹出口以外の面に設ける構成となっていたので、吹き出した温風を有効的に利用できないという課題を有していた。
【０００７】
そこで本発明は、上記従来の課題を解決するものであり、吹き出した温風を有効的に利用できるふとん乾燥機を提供することを目的とする。
【課題を解決するための手段】
【０００８】
そして、この目的を達成するために、本発明は、第１の吸気口を有した本体ケースと、前記本体ケース内に設けたファンと、前記ファンの吹き出し空気を加熱するヒータ部と、前記ヒータ部によって加熱された空気を吹出す吹出口と、を備え、前記第１の吸気口と前記吹出口とを前記本体ケースにおける同一面に設け、前記本体ケースには、前記第１の吸気口と前記吹出口とを前記本体ケースにおける一方側側面に設け、前記本体ケースにおける他方側側面には、第２の吸気口を備え、前記第１の吸気口は、前記第２の吸気口よりも開口面積が大きく、前記ファンは、前記本体ケース内部で、前記本体ケースの一方側側面寄りに配置され、前記第１の吸気口と前記ファンの吸込口との距離は、前記第２の吸気口と前記ファンの前記吸込口との距離より短くなることを特徴とするものであり、これにより所期の目的を達成するものである。
【発明の効果】
【０００９】
本発明によれば、吹き出した温風によって暖めた空間の空気を吸気しやすいのでヒータの出力を抑えて運転することができるため、局所的な暖房をするのに省エネ性を向上し、吹き出した温風を有効的に利用できるという効果を得ることができる。
【図面の簡単な説明】
【００１０】
【図１】本発明の実施の形態のふとん乾燥機の概略構成図
【図２】同ふとん乾燥機の斜視図
【図３】同ふとん乾燥機による靴等の乾燥運転状態を示す図
【図４】従来のふとん乾燥機を示す斜視図
【発明を実施するための形態】
【００１１】
本発明の請求項１記載のふとん乾燥機は、第１の吸気口を有した本体ケースと、前記本体ケース内に設けたファンと、前記ファンの吹き出し空気を加熱するヒータ部と、前記ヒータ部によって加熱された空気を吹出す吹出口とを備え、前記第１の吸気口と前記吹出口が同一側面に設け、前記本体ケースには、前記第１の吸気口と前記吹出口とを前記本体ケースにおける一方側側面に設け、前記本体ケースにおける他方側側面には、第２の吸気口を備え、前記第１の吸気口は、前記第２の吸気口よりも開口面積が大きく、前記ファンは、前記本体ケース内部で、前記本体ケースの一方側側面寄りに配置され、前記第１の吸気口と前記ファンの吸込口との距離は、前記第２の吸気口と前記ファンの前記吸込口との距離より短くなることを特徴とする構成を有する。
【００１２】
これにより、第１の吸気口が閉塞された場合でも第２の吸気口より吸気できるので、閉塞による異常温度上昇を防止しつつ、吹き出した温風によって暖めた空間の空気を吸気しやすいのでヒータの出力を抑えて運転することができるため、局所的な暖房をするのに省エネ性を向上し、吹き出した温風を有効的に利用できるという効果を奏する。
【００１９】
また、請求項２記載のふとん乾燥機は、前記本体ケースは、前後方向に比べ左右方向が長い箱形状で、前記第１の吸気口と前記第２の吸気口と前記吹出口が、前記本体ケースにおける左右の側面に配置されるという構成を有する。
【００２０】
これにより、倒れやすい左右方向に本体が倒れても第１の吸気口と第２の吸気口と吹出口が閉塞することは無いので、閉塞による異常温度上昇を防止しつつ、ヒータの出力を抑えて運転することができるため、局所的な暖房をするのに省エネ性を向上しつつ、安全性も向上することができるという効果を奏する。
【００２１】
以下、本発明の実施の形態について図面を参照しながら説明する。
【００２２】
（実施の形態）
図１は、本発明の実施の形態のふとん乾燥機の概略構成図である。図２は、本発明の実施の形態のふとん乾燥機の斜視図である。図２（ａ）は、ふとん乾燥機の前面側から見た斜視図で、前面側側面と、左側側面が見える図である。図２（ｂ）は、ふとん乾燥機の前面側から見た斜視図で、前面側側面と、右側側面が見える図である。図３は、本発明の実施の形態のふとん乾燥機による靴等の乾燥運転状態を示す図である。
【００２３】
図１および図２に示すように、ふとん乾燥機は、前後方向に比べ左右方向が長い箱形状の本体ケース１を備えている。本体ケース１の左右方向における一方側側面（左側側面）の上部に吹出口６を配置し、本体ケース１の左右方向における一方側側面（左側側面）の下部に第１の吸気口７を配置している。本体ケース１の左右方向における他方側側面（右側側面）の下部に第２の吸気口８を配置している。
【００２４】
本体ケース１内部には、ファン２と、ヒータ３と、ホース４と、ノズル５とを備えている。ノズル５には、吹出口６を備えている。吹出口６には、風向変更部６Ａを備え、風向変更部６Ａによって、吹出口６から斜め下方へ送風できる。
【００２５】
ファン２は、本体ケース１内部で、本体ケース１の左右方向における一方側側面（左側側面）寄り下部に配置されている。ファン２の側面には、吸込口２Ａを備え、ファン２の上方には、ヒータ３を配置している。ファン２によって、第１の吸気口７と第２の吸気口８から吸い込まれた空気が、吸込口２Ａ、ファン２を介して、ヒータ３へ送風される。ヒータ３で暖められた空気はホース４を通りノズル５の吹出口６から温風として吹き出す。
【００２６】
吹出口６と同一側面に設けられた第１の吸気口７と、吹出口６の反対側である他方側側面（右側）に第２の吸気口８を配置する構成としている。
【００２７】
このように構成されたふとん乾燥機において、図３のようにくつを乾燥することや温風を吹き出だす側の局所的な暖房を行う場合に、吹き出した温風によって暖めた空間の空気を吸気しやすいのでヒータ３の出力を抑えて運転することができるため、局所的な暖房をするのに省エネ性を向上し、吹き出した温風を有効的に利用できる。
【００２８】
具体的には、本体ケース１の左右方向における一方側側面（左側側面）の上部に吹出口６を配置し、本体ケース１の左右方向における一方側側面（左側側面）の下部に第１の吸気口７を配置している。これにより、図３に示すように、吹出口６から斜め下方に引き出した温風が、床の上のシートに並べられたくつや、靴下に送風される。この送風された温風の一部は、くつや、靴下に当たった後に、吹出口６の下部に設けた第１の吸気口７から吸い込まれる。このように、吹き出した温風を有効的に利用できる。
【００２９】
また、第１の吸気口７とその反対側に第２の吸気口８を設けていることにより、第１の吸気口７が閉塞された場合でも第２の吸気口８より吸気できるので、閉塞による異常温度上昇を防止できる。更に、ヒータ３は、１例としてＰＴＣヒータである。これにより、ヒータ３の出力を抑えて運転することができるため、局所的な暖房をするのに省エネ性を向上しつつ、安全性も向上することができる。
【００３０】
また、第１の吸気口７は、第２の吸気口８より開口面積が大きいので、通常状態での風量は、第２の吸気口より、吹出口６と同一側面に設けた第１の吸気口７から吸い込まれる風量が大きくなる。これにより、吹出口６から斜め下方に引き出した温風が、床の上のシートに並べられたくつや、靴下に送風される。この送風された温風の一部は、くつや、靴下に当たった後に、第１の吸気口７から吸い込まれ易い。このように、吹き出した温風を有効的に利用できる。
【００３１】
また、ファン２は、本体ケース１内部で、第１の吸気口７が設けられている側面である本体ケース１の左右方向における一方側側面（左側側面）寄り下部に配置されている。これにより、第１の吸気口７とファン２の吸込口２Ａとの距離は、第２の吸気口８とファン２の吸込口２Ａとの距離より短くなる。結果として、第１の吸気口７からヒータ３までの送風路の距離は、第２の吸気口８からヒータ３までの送風路の距離より短くなる。吸気口から吸い込んだ空気の熱は、送風路で奪われるので、送風路が長い第２の吸気口８から吸い込むより、送風路が短い第１の吸気口７から吸い込んだ方が、吸気口から吸い込んだ空気の温度の低下を抑制できる。そして、第１の吸気口７は、吹出口６と同一側面に設けられているので、第２の吸気口８より高い温度の空気が吸い込むことができる。
【００３２】
このように、吸気口からヒータ３までの送風路が短い第１の吸気口７を、吹出口６と同一側面に設けているので、ヒータ３へ高い温度の空気を送風できる。結果として、ＰＴＣヒータであるヒータ３の出力を抑えて運転することができるため、局所的な暖房をするのに省エネ性を向上しつつ、安全性も向上することができる。
【００３３】
また、前後方向に比べ左右方向が長い箱形状の本体ケース１の左右方向における一方側側面（左側側面）に吹出口６と第１の吸気口７と第２の吸気口８を配置している。これにより、倒れやすい前後方向に本体が倒れても第１の吸気口７と第２の吸気口８と吹出口６が閉塞することは無いので、閉塞による異常温度上昇を防止しつつ、ヒータ３の出力を抑えて運転することができるため、局所的な暖房をするのに省エネ性を向上しつつ、安全性も向上することができる。
【産業上の利用可能性】
【００３４】
本発明にかかるふとん乾燥機は、くつ乾燥や局所暖房に使用されるふとん乾燥機等として有用である。
【符号の説明】
【００３５】
１    本体ケース
２    ファン
２Ａ  吸込口
３    ヒータ
４    ホース
５    ノズル
６    吹出口
６Ａ  風向変更部
７    第１の吸気口
８    第２の吸気口
【図１】
0006613449.tif 000002
【図２】
0006613449.tif 000003
【図３】
0006613449.tif 000004
【図４】
0006613449.tif 000005